(57)【要約】【課題】ベルトの周回部分にワンタッチで装着でき、ベルトの余剰長さ部分を簡単かつ確実に拘束して留め固定できるベルト留め具を提供する。【解決手段】ベルト留め具２は、ベルトの周回部分１ａより先の余剰長さ部分１ｂを拘束するための環状部３と、ベルトの周回部分１ａの適所に引っ掛けて環状部３をベルトの前面に位置決め固定するためのクリップ６とから成る。環状部３は、ベルトの幅に応じた高さの背板部４の前面に前板部５の上下端が一体に連結されることにより、背板部４と前板部５との間にベルトの余剰長さ部分１ｂを幅方向へ通すことが可能なベルト通し孔３０が形成されている。【選択図】図２
2011021285.tif 000002
【特許請求の範囲】
【請求項１】
ベルトの周回部分より先の余剰長さ部分を拘束するための環状部と、ベルトの周回部分の適所に引っ掛けて前記環状部をベルトの前面に位置決め固定するためのクリップとから成り、前記環状部は、ベルトの幅に応じた高さの背板部の前面に前板部の上下端が一体に連結されることにより、背板部と前板部との間にベルトの余剰長さ部分を幅方向へ通すことが可能なベルト通し孔が形成されて成るベルト留め具。
【請求項２】
前記クリップは、背板部の後面より鉤状に突出し、クリップと背板部との間にベルトの周回部分が入り込むことが可能な間隙が形成されている請求項１に記載されたベルト留め具。
【請求項３】
前記前板部の前面に全長にわたる凹溝に形成され、凹溝内に帯板状の化粧板が嵌め込まれて固着されている請求項１に記載されたベルト留め具。
【発明の詳細な説明】
【技術分野】
【０００１】
この発明は、ベルトの周回部分より先の余剰長さ部分を拘束して垂れ下がったりしないように留め固定するためのベルト留め具に関する。
【背景技術】
【０００２】
例えば、身体の腰部に着用されるベルトは、一般に、ベルト本体の基端部に連結金具を介してバックルが接続されており、着用者は連結金具を外し胴回りに合わせてベルト本体の基端部を切断することによりベルトの長さを調節している。ところが、特に婦人物のベルトの中に、図１１に示すように、ベルト本体１１とバックル１０とが一連一体になったものがあり、長さ調節が不可能である。
ズボンやスカートの腰部には、ベルトを通すためのベルト通しが一定間隔で設けられているが、ベルト着用時、ベルトの周回部分１ａより先の余剰長さ部分１ｂがベルト通しに届かないとき、余剰長さ部分１ｂが垂れ下がるなどして見苦しいものとなる。
【０００３】
ベルトの余剰長さ部分１ｂが垂れ下がるのを防止するために、図１２に示すように、ベルトの周回部分１ａと余剰長さ部分１ｂとを上下に重ねた状態で、その周囲に帯状部材９０を巻き付けてボタン９１により留め固定する構造のベルト留め具９が提案されている（例えば特許文献１参照）。
【先行技術文献】
【特許文献】
【０００４】
【特許文献１】実開平７−１５７２４号公報
【発明の概要】
【発明が解決しようとする課題】
【０００５】
しかし、この種のベルト留め具９では、帯状部材９０をベルトの周回部分１ａの裏側を通してベルトの周回部分１ａと余剰長さ部分１ｂとを一体に巻き付ける必要があるため、留め固定の作業が簡易でなく手数がかかる。また、帯状部材９０の両端部をボタン留めする構造であるため、ボタン９１が外れて余剰長さ部分１ｂが垂れ下がったりするおそれがある。
【０００６】
この発明は、上記の問題に着目してなされたもので、ベルトの周回部分にワンタッチで装着でき、ベルトの余剰長さ部分を簡単かつ確実に拘束して留め固定できるベルト留め具を提供することを目的とする。
【課題を解決するための手段】
【０００７】
この発明によるベルト留め具は、ベルトの周回部分より先の余剰長さ部分を拘束するための環状部と、ベルトの周回部分の適所に引っ掛けて前記環状部をベルトの前面に位置決め固定するためのクリップとから成る。前記環状部は、ベルトの幅に応じた高さの背板部の前面に前板部の上下端が一体に連結されることにより、背板部と前板部との間にベルトの余剰長さ部分を幅方向へ通すことが可能なベルト通し孔が形成されて成る。
【０００８】
この発明によるベルト留め具を用いてベルトの周回部分より先の余剰長さ部分を拘束して留め固定するには、クリップをベルトの周回部分の適所に引っ掛けて環状部をベルトの前面に位置決め固定した後、ベルト通し孔へベルトの周回部分より先の余剰長さ部分を差し込む。これによりベルトの余剰長さ部分は拘束されて垂れ下がらないように留め固定される。
【０００９】
好ましい実施態様のクリップは、背板部の後面より鉤状に突出し、クリップと背板部との間にベルトの周回部分が入り込むことが可能な間隙が形成されている。
この実施態様のクリップでは、クリップをベルトの周回部分の適所に引っ掛けて押し下げると、ベルトの周回部分がクリップと背板部との間の間隙へ入り込むので、環状部はベルトの前面に位置決め固定される。
【００１０】
この発明の上記した構成において、環状部はステンレスなどの金属材により製作するのが望ましいが、これに限らず、合成樹脂や皮革などを用いて構成することもできる。    
また、好ましい実施態様においては、前板部の前面に全長にわたる凹溝を形成し、凹溝内に帯板状の化粧板を嵌め込んで固着してもよい。
この実施態様によると、種々の化粧板を用意することで、バラエティに富んだベルト留め具を製作し得る。
化粧板として、表面に図柄や模様が施された金属板や合成樹脂板の他、皮革や布地などを用いて構成できる。例えば、金属板の表面にガラスや金属による装飾片を接着したものを用いれば、ベルトのアクセサリとしての機能を一層発揮させ得る。
【発明の効果】
【００１１】
この発明によるベルト留め具は、ベルトの周回部分にワンタッチで装着でき、ベルトの余剰長さ部分を垂れ下がらないように簡単かつ確実に拘束して留め固定できる。
【図面の簡単な説明】
【００１２】
【図１】この発明の一実施例であるベルト留め具の使用状態を示す斜視図である。
【図２】この発明の一実施例であるベルト留め具の側面図である。
【図３】環状部とクリップとの組み立て構造を示す側面図である。
【図４】図３のＡ−Ａ線に沿う断面図である。
【図５】ベルト留め具の正面図である。
【図６】図５のＢ−Ｂ線に沿う断面図図である。
【図７】ベルト留め具の平面図である。
【図８】ベルト留め具の他の実施例の正面図である。
【図９】ベルト留め具の他の実施例の正面図である。
【図１０】図９の実施例の使用状態を示す斜視図である。
【図１１】ベルトの周回部分と余剰長さ部分とを示す斜視図である。
【図１２】従来のベルト留め具を示す斜視図である。
【発明を実施するための形態】
【００１３】
図１は、この発明の一実施例であるベルト留め具２の使用状態を示している。
図示例のベルト留め具２は、ベルト１の周回部分１ａより先の余剰長さ部分１ｂを拘束して垂れ下がったりしないようにするための環状部３と、ベルト１の周回部分１ａの適所に引っ掛けられ環状部３をベルト１の前面に位置決め固定するためのバネ板状のクリップ６とから成る。
【００１４】
図１に示すベルト１は、ベルト本体１１とバックル１０とが一連一体であり、ベルト本体１１の長さが調節できない構造のものである。バックル１０はベルト本体１１を通す留め環１２と、ベルト本体１１に設けられた孔１５に係入する留め軸１３とを有する。バックル１０の近くにベルト押さえ１４が配され、このベルト押さえ１４によってベルトの余剰長さ部分１ｂの基端部が挿通されて押さえられる。
【００１５】
前記環状部３は、図２に示すように、真っ直ぐな背板部４と上下の各端部が同方向に湾曲した形状の前板部５とで構成される。背板部４の前面の上下端に前板部５の湾曲した上下端が一体に連結されている。背板部４はベルト本体１１の幅に応じた高さを有しており、背板部４と前板部５との間にはベルトの余剰長さ部分１ｂを幅方向へ通すことが可能なベルト通し孔３０が形成されている。
【００１６】
前記クリップ６は、背板部４の後面の上端部より鉤状に突出している。クリップ６と背板部４との間にはベルトの周回部分１ａが入り込むことが可能な間隙６０が形成されている。クリップ６の長さ中央部には内側へ突き出る突出部６２が屈曲形成され、突出部６２の位置で間隙６０が狭くなっている。
【００１７】
図示例のクリップ６は、図３に示すように、上端より折り返された垂直基板６１を一体に備えている。一方、背板部４は、図３および図４に示すように、両側縁に沿って起立する止め板部４１，４１を一体に備えている。クリップ６の垂直基板６１を背板部４の後面に当て各止め板部４１，４１を折り曲げて倒すことによりクリップ６が背板部４の後面に取り付けられている。クリップ６は弾性変形が可能なバネ板材により形成され、間隙６０にベルトの周回部分１ａが入り込むときに外方へ押し広げられて弾性変形する。その復元力によってベルト留め具２はベルトの周回部分１ａに固定される。
【００１８】
環状部３の前板部５は、図５〜図７に示すように、その前面に全長にわたる凹溝５１が形成されている。この凹溝５１内に帯板状の化粧板７が嵌め込まれ、接着剤により固着されるとともに、化粧板７の上下端部が前板部５に一体形成された爪板５２，５２により固定されている。
【００１９】
図示例の化粧板７は、表面が着色されかつ美装された帯状の金属板材により構成されているが、これに代えて、図８に示すように、表面にガラス、金属などの装飾片７１が散りばめられた化粧板７や、図９に示すように、ハート型などの装飾板７２を一体に備えた化粧板７などを用いることができる。
図９に示すような実施例のベルト留め具２は、図１０に示すように、装飾板７２がベルト１の前面に大きく現れるので、ベルトのアクセサリとして機能する。
【００２０】
上記した構成のべルト留め具２を用いてベルトの周回部分１ａより先の余剰長さ部分１ｂを拘束して留め固定するには、クリップ６の先端部をベルトの周回部分１ａの適所に引っ掛けて押し下げる。これにより、ベルトの周回部分１ａがクリップ６と背板部４との間の間隙６０へ入り込むので、環状部３はベルトの前面に簡単に位置決め固定できる。
このようにして、環状部３をベルトの前面に位置決め固定した後、ベルト通し孔３０へベルトの余剰長さ部分１ｂを差し込む。これによりベルトの余剰長さ部分１ｂは拘束されて垂れ下がらないように留め固定される。
【００２１】
なお、この発明のベルト留め具２は、主として身体の腰部に着用される腰ベルトに用いられるが、これに限らず、腰ベルト以外のベルトにも用いることができる。
【符号の説明】
【００２２】
１    ベルト
１ａ  ベルトの周回部分
１ｂ  ベルトの余剰長さ部分
２    ベルト留め具
３    環状部
４    背板部
５    前板部
６    クリップ
３０  ベルト通し孔
【図１】
2011021285.tif 000003
【図２】
2011021285.tif 000004
【図３】
2011021285.tif 000005
【図４】
2011021285.tif 000006
【図５】
2011021285.tif 000007
【図６】
2011021285.tif 000008
【図７】
2011021285.tif 000009
【図８】
2011021285.tif 000010
【図９】
2011021285.tif 000011
【図１０】
2011021285.tif 000012
【図１１】
2011021285.tif 000013
【図１２】
2011021285.tif 000014